(57)【要約】      （修正有）【課題】製造が簡単であり、注水時に最適化された取扱いを保証するガラス製ポットを提供する。【解決手段】特にコーヒーメーカ用のガラス製ポット（１）であって、ガラス本体（２）と、ガラス本体（２）の開口部（３）に設けられた蓋部（４）と、ガラス本体（２）から突出したハンドル部（６）とを備え、ガラス本体内（２）にある液量を表示する計量マーク（１０）がガラス本体（２）に設けられている、ガラス製ポット（１）において、計量マーク（１０）は、ガラス本体（２）に一体的に形成された異形成形部によって構成されていることを特徴とする、ガラス製ポット（１）。【選択図】図１
2018196723.tif 000002
【特許請求の範囲】
【請求項１】
特にコーヒーメーカ用のガラス製ポット（１）であって、
ガラス本体（２）と、該ガラス本体（２）の開口部（３）に設けられた蓋部（４）と、前記ガラス本体（２）から突出したハンドル部（６）とを備え、前記ガラス本体内（２）にある液量を表示する計量マーク（１０，１１）が前記ガラス本体（２）に設けられている、ガラス製ポット（１）において、
前記計量マーク（１０，１１）は、前記ガラス本体（２）に一体的に形成された異形成形部によって構成されていることを特徴とする、ガラス製ポット（１）。
【請求項２】
前記計量マーク（１０，１１）は、それぞれ異なる水平面内で前記ガラス本体（２）に環状に延在している、請求項１記載のガラス製ポット。
【請求項３】
少なくとも３個の計量マーク（１０，１１）、好ましくは４〜８個の計量マーク（１０，１１）が設けられている、請求項１または２記載のガラス製ポット。
【請求項４】
前記ガラス本体（２）は、前記開口部（３）に設けられた注出し領域（５）を除いて回転対称に形成されている、請求項１から３までのいずれか１項記載のガラス製ポット。
【請求項５】
前記ハンドル部（６）は、前記ガラス本体（２）に設けられた凹部（９）に周設して案内される締付バンド（７）を介して前記ガラス本体（２）に固定されている、請求項１から４までのいずれか１項記載のガラス製ポット。
【請求項６】
前記異形成形部は、外側へ突出したリブ（１０）として、前記ガラス本体（２）に形成されている、請求項１から５までのいずれか１項記載のガラス製ポット。
【請求項７】
前記異形成形部は、溝状の凹部（１１）として、前記ガラス本体（２）の外側に形成されている、請求項１から５までのいずれか１項記載のガラス製ポット。
【請求項８】
前記計量マーク（１０，１１）に加えて、注水量を表示する数字または記号が、当該ガラス製ポット（１）に設けられている、請求項１から７までのいずれか１項記載のガラス製ポット。
【発明の詳細な説明】
【技術分野】
【０００１】
本発明は、ガラス本体と、ガラス本体の開口部に設けられた蓋部と、ガラス本体から突出したハンドル部とを備え、ガラス本体内にある液量を表示する計量マークがガラス本体に設けられている、特にコーヒーメーカ用のガラス製ポットに関する。
【背景技術】
【０００２】
欧州特許第２７００３３７号明細書には、フィルタホルダの下に、フィルタホルダから流出する抽出されたコーヒーを収容するガラス製ポットの形態の容器が設けられている、コーヒーメーカが開示されている。このようなガラス製ポットは、特にコーヒーメーカに適していると評価されており、一方では抽出されたコーヒーを収容し、他方ではコーヒーメーカに設けられたウォータータンクに注水するために使用される。このために、ガラス製ポットは、所望量のコーヒーの抽出を可能にするために、蛇口の下に保持されて、注水される。その際に、大抵の場合はガラス本体またはガラス製ポットのハンドル部にプリントされている計量マークが、ガラス製ポットに設けられていると役に立つ。しかしながら、計量マークのプリントは、付加的な製造ステップを必要とし、さらに、ガラス製ポットは、注水プロセス時に斜めに保持されやすいので、計量精度が制限される。
【発明の概要】
【発明が解決しようとする課題】
【０００３】
したがって、本発明の課題は、製造が簡単であり、注水時に最適化された取扱いを保証するガラス製ポットを提供することである。
【課題を解決するための手段】
【０００４】
このような課題は、請求項１に記載の特徴を有するガラス製ポットによって解決される。
【０００５】
本発明によるガラス製ポットは、ガラス本体と、ガラス本体の開口に設けられた蓋部と、ハンドル部とを有しており、ガラス本体に一体的に形成された計量マークが、異形成形部の形態で形成されている。これによって、計量マークは、異形成形部によってガラス本体に設けられるので、計量マークをプリントする付加的なステップが不要となる。したがって、計量マークを良好に視認でき、ガラス製ポットに注水する際の取扱いが改善する。
【０００６】
計量マークは、それぞれ異なる水平面内でガラス本体に環状に配置されているのが好ましい。計量マークは、任意で半円形に形成されていてもよく、好ましくは周囲の少なくとも３０％、好ましくは６０％以上に延在している。全周を周設する、計量マークの環状形状は、注水プロセス時に、傾くと水平に配置された計量マークに対して液面が角度を成すので、ガラス製ポット底部を可能な限り水平に方向付けた、ガラス製ポットの姿勢を良好に視認できるようになる、という利点を有している。
【０００７】
１つの有利な実施態様では、少なくとも３個の計量マーク、好ましくは４個〜８個の計量マークが設けられている。このような場合、注水量の各計量マークは、１杯または２杯分に相当し得るので、使用者は、コーヒーの抽出に必要な注水量で簡単に注水することができる。
【０００８】
視覚的に好ましい構成にするために、ガラス本体は、開口部に設けられた注出し領域を除いて回転対称に形成されている。注出し領域では、注出しを簡単にする、突出した注ぎ口を設けてもよい。なお、ガラス本体が回転対称に形成されていると、ガラス本体の容積をコーヒーメーカに最適に使用することができ、さらにこれによって、ガラス本体の洗浄が改善される。
【０００９】
ハンドル部をガラス本体に簡単に固定するために、ハンドル部を、ガラス本体の凹部を周設して案内される締付バンドを介してガラス本体に固定してもよい。
【００１０】
ガラス本体に一体的に形成された異形成形部は、外側へ突出したリブ、または溝状の凹部として、ガラス本体の外側に形成してもよい。溝またはリブは、一方では良好に視認できるように、さらには簡単に洗浄できるように、０．５ｍｍ〜３ｍｍ、好ましくは１ｍｍ〜２ｍｍの幅を有している。ハンドル部またはガラス本体に設けられた計量マークに加えて、注水量を表示する数字または記号の形態の標示を、ガラス製ポットに任意で設けてもよい。
【００１１】
以下、添付図面を参照して、実施形態に基づき本発明を詳説する。
【図面の簡単な説明】
【００１２】
【図１】本発明によるガラス製ポットの側面図である。
【図２】図１のガラス製ポットを断面して示した詳細図である。
【図３】変形例のガラス製ポットを断面して示した詳細図である。
【発明を実施するための形態】
【００１３】
ガラス製ポット１は、ガラス本体２を備え、ガラス本体２の上側に開口部３が設けられている。開口部３は、少なくとも部分的に、取り外し可能に開口部３に保持された蓋部４によって、好ましくはヒンジ接続部を介して閉鎖されているので、操作エレメントを押すことによって蓋部４を旋回させることができる。開口部３には、一方の側に注出し領域５または注ぎ口が設けられており、開口部３は、蓋部４が閉じていても液体の注出しを可能にする。この注出し領域５の外側において、ガラス本体２は、回転対称に形成されている。
【００１４】
さらに、ガラス本体２には、突出したハンドル部６が固定されており、このハンドル部６は、一方で、ガラス本体２の上面に保持されており、他方で、ガラス本体２の水平の底部８の上方に周設して配置された締付バンド７を介して固定されている。「水平」という用語は、平坦で水平な地面に設置した際の、ガラス製ポット１の設置位置に相応する。
【００１５】
図２に示すように、底部８は、階段状の形状を有しており、底部８の隣に環状に周設する凹部９が形成された壁部に開口し、この凹部９に、締付バンド７が周設して案内されている。締付バンド７の上方で、ガラス本体２の側壁に、環状の異形成形部がリブ１０の形態で設けられており、リブ１０は、ガラス本体２の外側に、例えば０．２ｍｍ〜３ｍｍ、特に０．５ｍｍ〜２ｍｍだけ突出している。リブ１０の幅は、同じく０．２ｍｍ〜３ｍｍの範囲、好ましくは０．５ｍｍ〜２ｍｍの範囲であってもよい。いずれの場合においても、リブ１０は、外側から視認でき、ガラス製ポット１への注水時に注入された液量を使用者に示すために、計量マークとして役に立つ。さらに、リブ１０が環状に延在することによって、底部８が水平面に対して平行に方向付けられているかどうかを使用者が視認できるので、ガラス製ポット１の比較的正確な注水が可能となる。
【００１６】
図３には、ガラス本体２の外壁に設けられた、外側へ突出したリブ１０に代えて、計量マークとして使用される溝１１を設けるという相違点を除いて、図１のように構成されたガラス製ポットの変形例が示されている。溝１１は、ガラス製ポット１に液体を注入する際に使用者が視認できるマークを形成するために、０．２ｍｍ〜３ｍｍ、特に０．５ｍｍ〜２ｍｍの幅および／または深さを有していてよい。
【００１７】
リブ１０または溝１１の形態の計量マークは、ガラス製ポット１の大きさに応じて、１杯または２杯分に相当する注水量を表示するために使用することができるので、ガラス本体２の高さにわたって、分配された３〜１０個の計量マークを設けてもよい。
【００１８】
図示された実施形態では、リブ１０および溝１１は、環状に周設した状態でガラス本体２に形成されている。計量マークは、ガラス本体２の周囲の一部のみ、例えば周囲の半分にわたって、または周囲の２０％のみ、またはそれ以上に相当する範囲にわたって延在してもよい。さらに、計量マークの幾何学形状は変更可能である。
【００１９】
さらに、計量マークに加えて、任意で、対応する計量マークに相当する杯数を使用者に示す記号またはマークを設けてもよい。
【符号の説明】
【００２０】
１  ガラス製ポット
２  ガラス本体
３  開口部
４  蓋部
５  注出し領域
６  ハンドル部
７  締付バンド
８  底部
９  凹部
１０  リブ
１１  溝
【図１】
2018196723.tif 000003
【図２】
2018196723.tif 000004
【図３】
2018196723.tif 000005
【外国語明細書】
2018196723.tif 000006
2018196723.tif 000007
2018196723.tif 000008
2018196723.tif 000009
2018196723.tif 000010
2018196723.tif 000011
2018196723.tif 000012
2018196723.tif 000013
2018196723.tif 000014
2018196723.tif 000015
2018196723.tif 000016